【手続補正書】
【提出日】平成25年12月12日(2013.12.12)
【手続補正１】
【補正対象書類名】明細書
【補正対象項目名】００４４
【補正方法】変更
【補正の内容】
【００４４】
そのような雌雄同体の性質を有する材料の第２の例は、特定の種類の接着剤であり、例えば、米国特許第ＵＳ  ４，５１３，０３９号において開示されるもの等である。これらの接着剤は、それらが相互に接触して設置されるが、損傷なく剥がされ得るという点において、剥離可能接着剤である。これは、接着剤の第１の領域が、第１の締結手段を形成することができ、同一の接着剤の第２の領域が、第１の締結手段のための保護カバーを形成するように適合され、第１の締結手段と実質的に同一の広がりを持つように大きさを決められる第２の締結手段を形成することができることを意味する。したがって、接着剤の一方の領域は、接着剤のもう一方の領域ための剥離面として機能することができ、逆もまた同様である。更に、機械的締結手段及び接着剤の組み合わせが既知であり、例えば、接着剤が機械的締結手段の柄の底部に提供されている、米国特許第ＵＳ  ４，９５９，２６５号において開示される締結システムである。これらの事例のそれぞれにおいて、締結手段は、全く同一の材料であってもよく、あるいは同一又は類似の性質を有する２つの異なる材料であってもよい。本発明の実施態様の一部を以下の項目［１］−［１８］に記載する。
［１］
背面シートと前面シートとの間に挟持された細長い形状を有する吸収性コアであって、前記背面シート及び前記前面シートが前記吸収性コアを越えて延在し、一緒にシールされてシール縁部分を形成している、吸収性コアと、
前記背面シート上に配置された第１の締結手段を形成するように適合された材料の領域と、
前記第１の締結手段と実質的に同一の広がりを持ち前記第１の締結手段のための保護カバーを形成するように適合された第２の締結手段を形成するように適合された材料の領域と、を備える、衛生物品。
［２］
前記第１の締結手段を形成するように適合された材料の前記領域が、前記シール縁の領域内の前記背面シート上に配置されている、項目１に記載の衛生物品。
［３］
前記第１の締結手段を形成するように適合された材料の前記領域が、前記シール縁上の前記背面シート上に配置されている、項目１に記載の衛生物品。
［４］
前記第２の締結手段を形成するように適合された材料の前記領域が、前記シール縁上の前記背面シート上に配置されている、項目１〜３のいずれか一項に記載の衛生物品。
［５］
第１のウィングであって、その上に位置する前記第２の締結手段を形成するように適合された材料の少なくとも１つの領域を有する、第１のウィングと、第２のウィングであって、その上に位置する前記第２の締結手段を形成するように適合された材料の少なくとも１つの領域を有する、第２のウィングとを更に備える、項目１〜３のいずれか一項に記載の衛生物品。
［６］
前記物品が、第１及び第２の対向する長手方向の辺と、第１及び第２の対向する横方向の辺とを備え、前記第１の締結手段を形成するように適合された材料の少なくとも１つの領域が、前記第１の長手方向の辺上に提供され、前記第１の締結手段を形成するように適合された材料の少なくとも１つの領域が、前記第２の長手方向の辺上に提供されている、項目１〜３のいずれか一項に記載の衛生物品。
［７］
前記ウィングが、前記前面シート及び／又は前記背面シートから形成されている、項目５に記載の衛生物品。
［８］
前記ウィングが、分離しており、前記シール縁で前記衛生物品に接着されている、項目５に記載の衛生物品。
［９］
前記物品が、第１及び第２の対向する長手方向の辺と、第１及び第２の対向する横方向の辺とを備え、前記第１の締結手段を形成するように適合された材料の少なくとも１つの領域が、前記第１の横方向の辺上に提供され、前記第１の締結手段を形成するように適合された材料の少なくとも１つの領域が、前記第２の横方向の辺上に提供されている、項目１〜３のいずれか一項に記載の衛生物品。
［１０］
前記第２の締結手段を形成するように適合された材料の領域が、前記第１の締結手段を形成するように適合された材料の各領域に隣接して提供されている、項目９に記載の衛生物品。
［１１］
前記第１の締結手段を形成するように適合された材料の領域が、前記第１の横方向の辺上に提供され、前記第１の締結手段と実質的に同一の広がりを持ち前記第１の締結手段のための剥離面を形成するように適合された前記第２の締結手段を形成するように適合された材料の前記領域が、前記第２の横方向の辺上に位置する、項目９に記載の衛生物品。
［１２］
前記第２の締結手段を形成するように適合された材料の前記少なくとも１つの領域が、前記第１の締結手段を形成するように適合された材料の前記少なくとも１つの領域上に折り畳まれる、項目１〜１１のいずれか一項に記載の衛生物品。
［１３］
前記第２の締結手段に、前記少なくとも１つの第１の締結手段を越えて延在するフィンガーリフト部分が提供されている、項目１〜１２のいずれか一項に記載の衛生物品。
［１４］
前記第１の締結手段が機械的締結手段であり、前記第２の締結手段が接着締結手段である、項目１〜１３のいずれか一項に記載の衛生物品。
［１５］
前記第１の締結手段が接着締結手段であり、前記第２の締結手段が機械的締結手段である、項目１〜１３のいずれか一項に記載の衛生物品。
［１６］
前記第１の締結手段を形成するように適合された前記材料、及び前記第２の締結手段を形成するように適合された前記材料が、同一の種類の材料である、項目１〜１３のいずれか一項に記載の衛生物品。
［１７］
前記材料が、雌雄同体の機械的締結手段、又は剥離可能接着剤である、項目１６に記載の衛生物品。
［１８］
前記少なくとも１つの機械的締結手段が、フック、柄、又は杯状の突起のうちの１つから形成された係合突起を備える、項目１４〜１７のいずれか一項に記載の衛生物品。
【手続補正２】
【補正対象書類名】特許請求の範囲
【補正対象項目名】全文
【補正方法】変更
【補正の内容】
【特許請求の範囲】
【請求項１】
背面シートと前面シートとの間に挟持された細長い形状を有する吸収性コアであって、前記背面シート及び前記前面シートが前記吸収性コアを越えて延在し、一緒にシールされてシール縁部分を形成している、吸収性コアと、
前記背面シート上に配置された第１の締結手段を形成するように適合された材料の領域と、
前記第１の締結手段と実質的に同一の広がりを持ち前記第１の締結手段のための保護カバーを形成するように適合された第２の締結手段を形成するように適合された材料の領域と、を備え、前記第１の締結手段及び第２の締結手段の少なくとも１つが機械的締結手段である、衛生物品。
【請求項２】
第１のウィングであって、その上に位置する前記第２の締結手段を形成するように適合された材料の少なくとも１つの領域を有する、第１のウィングと、第２のウィングであって、その上に位置する前記第２の締結手段を形成するように適合された材料の少なくとも１つの領域を有する、第２のウィングとを更に備える、請求項１に記載の衛生物品。
【請求項３】
前記物品が、第１及び第２の対向する長手方向の辺と、第１及び第２の対向する横方向の辺とを備え、前記第１の締結手段を形成するように適合された材料の少なくとも１つの領域が、前記第１の長手方向の辺上に提供され、前記第１の締結手段を形成するように適合された材料の少なくとも１つの領域が、前記第２の長手方向の辺上に提供されている、請求項１に記載の衛生物品。
【請求項４】
前記物品が、第１及び第２の対向する長手方向の辺と、第１及び第２の対向する横方向の辺とを備え、前記第１の締結手段を形成するように適合された材料の少なくとも１つの領域が、前記第１の横方向の辺上に提供され、前記第１の締結手段を形成するように適合された材料の少なくとも１つの領域が、前記第２の横方向の辺上に提供されている、請求項１に記載の衛生物品。
【請求項５】
前記物品が、第１及び第２の対向する長手方向の辺と、第１及び第２の対向する横方向の辺とを備え、前記第１の締結手段を形成するように適合された材料の領域が、前記第１の横方向の辺上に提供され、前記第１の締結手段と実質的に同一の広がりを持ち前記第１の締結手段のための剥離面を形成するように適合された前記第２の締結手段を形成するように適合された材料の前記領域が、前記第２の横方向の辺上に位置する、請求項１に記載の衛生物品。